【手続補正書】
【提出日】平成19年11月27日(2007.11.27)
【手続補正１】
【補正対象書類名】明細書
【補正対象項目名】特許請求の範囲
【補正方法】変更
【補正の内容】
【特許請求の範囲】
【請求項１】
フィルタ材料のシートからなるフィルタ媒体構造であって、
前記フィルタ材料が前記シートに直交する流れに沿ってフィルタを貫通する粒子をろ過するために、対面する第１面と第２面の間に厚さ寸法を有し、前記シートは、複数のファイバーからなる内部にひだを付けたサブシートによって形成され、かつ第１組，第２組のひだのチップ間に伸びる複数のひだを有しており、
前記ひだは、前記流れの方向に対して平行に伸び、前記第１組のひだのチップは、前記シートの前記第１面に設けられ、前記第２組のひだのチップは、前記シートの前記第２面に設けられており、前記ひだは、前記流体が前記ひだの間を横断するよりも、流体の流れ方向に沿って前記ひだの間を平行に通過するように、互いに強固に係合しており、
前記サブシートは、予めひだを付けた平面状態を有して前記ファイバーがサブシートに対して平行にかつ互いに一方向に平行に伸びており、さらに、前記サブシートは、前記シートを形成するひだ付き状態を有し、前記ファイバーが前記流れの方向にほぼ平行に前記ひだに沿って伸び、さらに、前記ファイバーが前記シートのそれぞれの面に平行にかつ前記流れの方向に対して直交する前記ひだのチップの回りに伸びており、
前記ひだは、前記ひだに平行な前記流れの方向に沿って前記ひだの間に流体の流れが生じないように、接着材料を用いて互いに結合され、前記ひだを互いに接着することにより、前記厚さ寸法に伴って前記シートの圧縮抵抗を高め、かつニードリングに関連したニードル穴をなくしていることを特徴とするフィルタ媒体構造。
【請求項２】
サブシートは、非織物であることを特徴とする請求項１記載のフィルタ媒体構造。
【請求項３】
前記複数のファイバーは、少なくとも第１組及び第２組の異なるファイバーからなることを特徴とする請求項１記載のフィルタ媒体構造。
【請求項４】
前記第１組のファイバーは、前記第２組のファイバーと異なる直径を有することを特徴とする請求項３記載のフィルタ媒体構造。
【請求項５】
前記第１組及び第２組のファイバーは、摩擦電気作用を与える摩擦電気ファイバーを含む摩擦電気ファイバー組合せ体からなり、前記摩擦電気ファイバーは、ファイバー間に複数の電気力線を形成し、この電気力線は、前記流れの方向に対してほぼ直交し、この流れに沿う平行な平面に列をなし、その結果、前記流体が前記平面に沿ってかつ前記電気力線に対して直交して流れ、複数の電気力線を連続して横切り、交差した電気力線の数が増加することにより、摩擦電気による捕捉の機会が増加することを特徴とする請求項３記載のフィルタ媒体構造。
【請求項６】
前記シートは、平坦なパネルであることを特徴とする請求項１記載のフィルタ媒体構造。
【請求項７】
前記シートは環状であり、前記流体の流れ方向は前記シートに対して半径方向であることを特徴とする請求項１記載のフィルタ媒体構造。
【請求項８】
流れ方向に沿ってフィルタを通過する流体内の粒子をろ過するための長寿命の流体フィルタアセンブリであって、
第１，第２フィルタ要素を有し、各フィルタ要素は、第１組及び第２組のひだのチップ間に伸びている複数のひだを有するひだ付きフィルタ媒体を含み、
前記各フィルタ要素のひだは、前記流れ方向に対してほぼ平行にそれぞれのひだのチップ間の前記流れ方向に沿って伸びており、一方の前記フィルタ要素のひだは、前記流れ方向を横切る方向に沿って互いに間隔を置いて配置され、前記流体がその間を流れるギャップを形成し、他方の前記フィルタ要素のひだは、前記ギャップなしで互いに対して密接され、その間の流れを阻止することを特徴とする流体フィルタアセンブリ。
【請求項９】
前記流体は、前記一方のフィルタ要素のひだを通って横方向に流れ、かつ前記流体は、前記他方のフィルタ要素のひだを通って横方向に通過するのではなくフィルタ要素に平行に前記流れ方向に沿って流れることを特徴とする請求項８記載の流体フィルタアセンブリ。
【請求項１０】
前記一方のフィルタ要素の前記ひだを通って流れる前記流体は、前記流れ方向を横切り、前記他方のフィルタ要素の前記ひだを通って流れる前記流体は、前記流れ方向に平行であることを特徴とする請求項９記載の流体フィルタアセンブリ。
【請求項１１】
前記他方のフィルタ要素のひだは、互いに接着されていることを特徴とする請求項１０記載の流体フィルタアセンブリ。
【請求項１２】
前記一方のフィルタ要素は、前記他方のフィルタ要素の下流にあることを特徴とする請求項１０記載の流体フィルタアセンブリ。
【請求項１３】
流れ方向に沿ってフィルタを通過する流体内の粒子をろ過するための長寿命の流体フィルタアセンブリであって、
第１組及び第２組のひだのチップ間に伸びている複数のひだを有するひだ付きフィルタ媒体からなり、前記ひだが前記流れ方向を横切る方向に沿って、互いに離れて配置され、流体が流れるその間に横断ギャップを形成し、その結果、流体が、前記第１組のひだのチップ間の流れ方向に沿って流れ、前記ひだを横切って通過し、さらに第２組のひだのチップ間の流れ方向に沿って流れるようにした、主フィルタ要素と、
前記主フィルタ要素の上流側でかつ隣接し、第１，第２の対向面間に厚さ寸法を有するシート状のフィルタ材料からなり、前記シート及び第１，第２の対向面に垂直でかつ前記厚さ方向に平行な流れ方向に沿って流れる流体内の粒子をろ過し、前記第２の対向面が前記主フィルタ要素に隣接し、前記シートが、複数のファイバーからなる内部ひだ付きサブシートによって形成される、プレフィルタ要素との組み合わせからなり、
前記サブシートは、ひだのチップの第１組及び第２組間に伸びる複数のひだを有し、このひだが前記流れ方向に平行に伸び、前記サブシートのひだのチップの第１組が前記シートの第１の対向面を与え、前記サブシートのひだのチップの第２組が前記シートの第２の対向面を与え、前記サブシートのひだは、互いに係合しかつ互いに十分に密接して包込まれ、その結果、流体が、前記サブシートのひだ間を横切って通過するよりも、前記サブシートのひだを通過する流れ方向に沿って前記ひだと平行に流れ、
前記サブシートは、前ひだを付けた平坦な状態を有して、ファイバーが平行にかつ互いに対して一方向的に平行に伸びており、さらに、前記ファイバーが前記流れ方向にほぼ平行な前記ひだに沿って伸びて、前記サブシートを形成するひだ付き状態を有し、前記ファイバーは、前記サブシートのそれぞれの対向面にほぼ平行なかつ前記流れ方向に対してほぼ垂直な前記ひだのチップの回りに伸びていることを特徴とする流体フィルタアセンブリ。
【請求項１４】
前記主フィルタ要素とプレフィルタ要素は、共に平坦なパネルであることを特徴とする請求項１３記載の流体フィルタアセンブリ。
【請求項１５】
前記主フィルタ要素とプレフィルタ要素は、環状であり、前記流れ方向は、フィルタ要素に対して半径方向であり、前記プレフィルタ要素は、前記主フィルタ要素に同軸配置されていることを特徴とする請求項１３記載の流体フィルタアセンブリ。
【請求項１６】
前記プレフィルタ要素のサブシートは、非織物であることを特徴とする請求項１３記載の流体フィルタアセンブリ。
【請求項１７】
前記プレフィルタ要素のサブシートは、非ニードリング状態であり、ニードリングによって生じるニードル穴をなくしていることを特徴とする請求項１６記載の流体フィルタアセンブリ。
【請求項１８】
前記プレフィルタ要素のサブシートにおける複数のファイバーは、少なくとも第１組及び第２組の異なるファイバーを有することを特徴とする請求項１３記載の流体フィルタアセンブリ。
【請求項１９】
前記第１組のファイバーは、前記第２組のファイバーとは異なる直径を有することを特徴とする請求項１８記載の流体フィルタアセンブリ。
【請求項２０】
第１組及び第２組のファイバーは、摩擦電気作用を与える摩擦電気ファイバーを含む摩擦電気ファイバー組合せ体からなり、前記摩擦電気ファイバーは、ファイバー間に複数の電気力線を形成し、この電気力線は、前記流れ方向に対して垂直で、前記流れ方向に沿って平行な面に列をなしており、その結果、前記流体がこの面に沿ってかつ前記電気力線に垂直に流れ、複数の電気力線を連続して横断し、交差した電気力線の数が増加することにより摩擦電気による捕捉の機会を増加させることを特徴とする請求項１８記載の流体フィルタアセンブリ。
【請求項２１】
前記サブシートのひだは、互いに結合され、前記サブシートのひだに対して平行な流れ方向に沿ってひだ間の流体の流れを阻止し、前記サブシートにおけるひだの互いの結合が、前記厚さ寸法に伴って前記シートの圧縮抵抗を高めて、ニードリングに関連したニードル穴をなくしていることを特徴とする請求項１３記載の流体フィルタアセンブリ。
【請求項２２】
前記プレフィルタ要素のサブシートの固さは、１％〜１０％の範囲にあることを特徴とする請求項１３記載の流体フィルタアセンブリ。
【請求項２３】
前記プレフィルタ要素のファイバーの大きさは、０．１〜５０デニールの範囲にあることを特徴とする請求項１３記載の流体フィルタアセンブリ。
【請求項２４】
前記厚さ寸法は、２〜７５ｍｍの範囲にあることを特徴とする請求項１３記載の流体フィルタアセンブリ。
【請求項２５】
プレフィルタ要素を通過する流体の速度と前記主フィルタ要素を通過する流体の速度との比は、２〜２５の範囲にあることを特徴とする請求項１３記載の流体フィルタアセンブリ。
【手続補正２】
【補正対象書類名】明細書
【補正対象項目名】０００５
【補正方法】変更
【補正の内容】
【０００５】
汚染物質の塊による安定化は、従来の繊維状で非織物のフィルタ媒体において、別の問題となる。このような媒体は、あまり強度が無くかつ圧縮抵抗もないので、フィルタ媒体に形成される汚染物質の塊は、局所的には、容易に除去することができる。このようなフィルタ媒体に従来のニードリングを適用すると、エア層を有する非織物に比較したとき、サブシートの固さと圧縮抵抗を改善する。しかし、フィルタ性能を改善するために、汚染ダストの塊をさらに安定化させる必要がある。さらに、公知のニードル穴は、大きな穴を生じさせて、ダストの塊を不均一に分散させる。すなわち、その穴に大きなくぼみを生じさせ、このようなニードル穴の間の領域におけるファイバー間にダスト塊の集合およびブリッジが発生する。